(57)【特許請求の範囲】
【請求項１】
接着端部（７）とネック部（１）と放物面状領域（２）と本体部（８）とを有する、テレビ陰極線管のためのテレビ用ガラスファンネル（１０）であって、
前記テレビ用ガラスファンネル（１０）の対角線（３．１）の方向によって定義される断面Ｃ−Ｃに沿った方向の、接着端部（７）と放物面状領域（２）との間の外側輪郭は、実質的に急傾斜で降下している直線であり、
前記テレビ用ガラスファンネル（１０）の長軸（３．２）の方向によって定義される断面Ａ−Ａに沿った方向の、接着端部（７）と放物面状領域（２）との間の外側輪郭は、実質的になだらかに下降している直線であり、また、接着端部（７）の領域においては、直線は、急傾斜で降下して曲線を形成し、
前記テレビ用ガラスファンネル（１０）の短軸（３．３）の方向によって定義される断面Ｂ−Ｂに沿った方向の、接着端部（７）と放物面状領域（２）との間の外側輪郭は、実質的に急傾斜で降下している直線である
ことを特徴とするテレビ用ガラスファンネル。
【請求項２】
前記直線の傾斜は、
短軸（３．３）の傾斜＞＞対角線の傾斜（３．１）＞長軸（３．２）の傾斜
の関係を有することを特徴とする請求項１に記載のテレビ用ガラスファンネル。
【請求項３】
対角線（３．１）に沿った方向の肉厚（４．１，４．２）は、長軸（３．２）に沿った方向の領域（３．５）における肉厚（４．３）より、実質的に厚いことを特徴とする請求項１又は請求項２に記載のテレビ用ガラスファンネル。
【請求項４】
短軸（３．３）に沿った方向の肉厚（４．５，４．６）は、長軸（３．２）に沿った方向の場合より、実質的に厚く、それによって、
接着端部（７）と放物面状領域（２）の始点との間において測定される本体部（８）の高さである接着端部（７）上方の高さの約１／４と１／２との間における領域（３．４）における肉厚（４．７）は、前記肉厚（４．５，４．６）より薄いことを特徴とする請求項３に記載のテレビ用ガラスファンネル。
【請求項５】
接着端部の外側エッジ（６．３）と本体部（８）から放物面状領域（２）への外部移行部（６．２）との間の直結線からの垂線と接着端部（７）の上方の外側輪郭との間における交点の高さは、対角線に関してはＺＤ、短軸に関してはＺＫ、および長軸に関してはＺＧで指定され、外部移行部（６．２）から水平に延長する水平線（６．１）と、垂線との交点の高さである本体部（８）の高さは、Ｚで指定されており、
対角線に関しては、Ｚ／ＺＤ＞２．５、
長軸に関しては、Ｚ／ＺＧ＞１．６、
短軸に関しては、Ｚ／ＺＫ＞２．６
の関係を有することを特徴とする請求項１〜４のいずれか１項に記載のテレビ用ガラスファンネル。
【請求項６】
接着端部の外側エッジ（６．３）と本体部（８）から放物面状領域（２）への外部移行部（６．２）との間の直結線と、外側輪郭（３．１，３．２，３．３）との間における最大距離Ｈ（６．４，６．５，６．６）に対する、対角線寸法（Ｄ）の比率は、
対角線（３．１）の方向に関しては、Ｄ／Ｈdia＞２８、
長軸（３．２）の方向に関しては、Ｄ／Ｈgr＜２５、
短軸（３．３）の方向に関しては、Ｄ／Ｈkl＞３３
の関係を有することを特徴とする請求項１〜５のいずれか１項に記載のテレビ用ガラスファンネル。
【請求項７】
前記放物面状領域（２）は、ネック部（１）と本体部（８）とに関する連結ポイントの間における少なくとも部分的な区域において、矩形の横断面を有することを特徴とする請求項１〜６のいずれか１項に記載のテレビ用ガラスファンネル。
【請求項８】
前記テレビ用ガラスファンネル（１０）は、画像表示部にハンダで接着されており、
前記画像表示部は、周囲を取り囲んでいる短縮化されたブリッジ部を有し、前記テレビ用ガラスファンネル（１０）の高さは、前記ブリッジ部の短縮化に応じて、伸長されることを特徴とする請求項１〜７のいずれか１項に記載のテレビ用ガラスファンネル。
【発明の詳細な説明】
【０００１】
【発明の属する技術分野】
本発明は、視聴者と相対する前面が本質的に矩形である、テレビ用陰極線管のためのテレビ用ガラスファンネルに関する。
【０００２】
【従来の技術】
テレビ用陰極線管（ＣＲＴ）は、ガラスファンネルと画像表示部とを有し、これらは、ＣＲＴの減圧空間を形成する。ガラスファンネルは、ネック部と放物面状領域と本体部の３つの領域に分割される。
【０００３】
ネック部は、電子ビーム銃を含んでおり、円筒状に配置される。放物面状領域は、電子ビームをガイドするための偏向コイルの周囲に位置し、横広の断面を有する丸みを帯びた表面部を実質的に有する。
【０００４】
また、本体部の横断面は、一定の割合で増加し、丸みを帯びたあるいはオーバル形から矩形への移行が、実質的に実行され、画像表示部の断面に到達する。ガラスファンネルと画像表示部とは、後述される接着端部として指定される接触面によって、互いに接続される。
【０００５】
ここおよび以下で使用される用語「矩形」は、実質的に矩形形状であって、角部が丸みを帯びているものを含んだ面として、理解される。画像表示部の矩形形状に対応し、電子ビームによって像が形成される領域の表面もまた、矩形である。
【０００６】
【発明が解決しようとする課題】
しかし、従来のテレビ用ガラスファンネルは、応力および耐内破性を考慮して、奥行きを短くすることができなかった。
【０００７】
本発明は、このような従来の問題点を解決するために成されたものであり、奥行きが短いテレビ用ガラスファンネルを提供することである。
【０００８】
【課題を解決するための手段】
上記目的を達成するための請求項１に記載の発明は、接着端部とネック部と放物面状領域と本体部とを有する、テレビ陰極線管のためのテレビ用ガラスファンネルであって、
前記テレビ用ガラスファンネルの対角線の方向によって定義される断面Ｃ−Ｃに沿った方向の、接着端部と放物面状領域との間の外側輪郭は、実質的に急傾斜で降下している直線であり、
前記テレビ用ガラスファンネルの長軸の方向によって定義される断面Ａ−Ａに沿った方向の、接着端部と放物面状領域との間の外側輪郭は、実質的になだらかに下降している直線であり、また、接着端部の領域においては、直線は、急傾斜で降下して曲線を形成し、
前記テレビ用ガラスファンネルの短軸の方向によって定義される断面Ｂ−Ｂに沿った方向の、接着端部と放物面状領域との間の外側輪郭は、実質的に急傾斜で降下している直線である
ことを特徴とする。
【０００９】
請求項２に記載の発明は、前記直線の傾斜は、
短軸の傾斜＞＞対角線の傾斜＞長軸の傾斜
の関係を有することを特徴とする。
【００１０】
請求項３に記載の発明は、対角線に沿った方向の肉厚は、長軸に沿った方向の領域における肉厚より、実質的に厚いことを特徴とする。
【００１１】
請求項４に記載の発明は、短軸に沿った方向の肉厚は、長軸に沿った方向の場合より、実質的に厚く、それによって、
接着端部と放物面状領域の始点との間において測定される本体部の高さである接着端部上方の高さの約１／４と１／２との間における領域における肉厚は、前記肉厚より薄いことを特徴とする。
【００１２】
請求項５に記載の発明は、接着端部の外側エッジと本体部から放物面状領域への外部移行部との間の直結線からの垂線と接着端部の上方の外側輪郭との間における交点の高さは、対角線に関してはＺＤ、短軸に関してはＺＫ、および長軸に関してはＺＧで指定され、外部移行部から水平に延長する水平線と、垂線との交点の高さである本体部の高さは、Ｚで指定されており、
対角線に関しては、Ｚ／ＺＤ＞２．５、
長軸に関しては、Ｚ／ＺＧ＞１．６、
短軸に関しては、Ｚ／ＺＫ＞２．６
の関係を有することを特徴とする。
【００１３】
請求項６に記載の発明は、接着端部の外側エッジと本体部から放物面状領域への外部移行部との間の直結線と、外側輪郭との間における最大距離Ｈに対する、対角線寸法Ｄの比率は、
対角線の方向に関しては、Ｄ／Ｈdia＞２８、
長軸の方向に関しては、Ｄ／Ｈgr＜２５、
短軸の方向に関しては、Ｄ／Ｈkl＞３３
の関係を有することを特徴とする。
【００１４】
請求項７に記載の発明は、前記放物面状領域は、ネック部と本体部とに関する連結ポイントの間における少なくとも部分的な区域において、矩形の横断面を有することを特徴とする。
【００１５】
請求項８に記載の発明は、前記テレビ用ガラスファンネルは、画像表示部にハンダで接着されており、
前記画像表示部は、周囲を取り囲んでいる短縮化されたブリッジ部を有し、前記テレビ用ガラスファンネルの高さは、前記ブリッジ部の短縮化に応じて、伸長されることを特徴とする。
【００１６】
【発明の実施の形態】
次に、本発明に係る実施の形態を、図面を参照して詳細に説明する。
【００１７】
図１は、テレビ陰極線管のためのテレビ用ガラスファンネル（１０）の平面図であり、ガラスファンネルの対角線寸法（Ｄ）と同様に、断面Ａ−Ａと断面Ｂ−Ｂと断面Ｃ−Ｃとを示している。図２は、テレビ用ガラスファンネルの側面図であり、各断面を示している。
【００１８】
図２に示される、ガラスファンネル（１０）は、画像表示部とハンダで接着されており、また、ネック部（１）、放物面状領域（２）、本体部（８）および接着端部（７）から、概して構成される。
【００１９】
ガラスファンネル（１０）の対角線（３．１）の方向によって定義される断面Ｃ−Ｃに沿った方向の、接着端部（７）と放物面状領域（２）との間の外側輪郭は、実質的に急傾斜で降下している直線である。
【００２０】
ガラスファンネル（１０）の短軸（３．３）の方向によって定義される断面Ｂ−Ｂに沿った方向の、接着端部（７）と放物面状領域（２）との間の外側輪郭も同様に、実質的に急傾斜で降下している直線である。
【００２１】
ガラスファンネル（１０）の長軸（３．２）の方向によって定義される断面Ａ−Ａに沿った方向の、接着端部（７）と放物面状領域（２）との間の外側輪郭は、実質的になだらかに下降している直線である。なお、接着端部（７）の近傍においては、直線は、急傾斜で降下して曲線を形成する。
【００２２】
接着端部（７）の近傍の直線によって形成される曲線は、短軸（３．３）に若干沿っており、また、少なくとも対角線（３．１）に明確に沿っている。
【００２３】
図２に示されるように、各外側輪郭の傾斜つまり各直線の傾斜は、「短軸（３．３）の傾斜＞＞対角線（３．１）の傾斜＞長軸（３．２）の傾斜」の関係を有する。つまり、対角線（３．１）の傾斜は、長軸（３．２）の傾斜より大きいが、短軸（３．３）の傾斜よりは、顕著に小さい。
【００２４】
対角線（３．１）に沿った方向の肉厚（４．１，４．２）は、実質的に長軸（３．２）に沿った方向の領域（３．５）における肉厚（４．３，４．４）より厚い。
【００２５】
短軸（３．３）に沿った方向の肉厚（４．５，４．６）は、実質的に長軸（３．２）に沿った方向の場合より厚く、接着端部（７）上方の高さの約１／４と１／２との間における領域（３．４）における肉厚（４．７）は、前記肉厚（４．５，４．６）より薄い。なお、高さは、接着端部（７）と放物面状領域（２）の始点との間において、測定される（本体部（８）の高さ）。
【００２６】
接着端部（７）の近傍における肉厚は、本体部（８）の近傍における肉厚より厚い。用語「薄い」および「厚い」は、本体部（８）の全体における平均肉厚と関連している。
【００２７】
上記の肉厚の分布の結果、応力は、最大許容値を越えることはない。肉厚が薄い長軸（３．２）と他の２つの肉厚が厚い軸とは共に、放物面状領域（２）の応力を減少させる。短軸（３．３）における肉厚の薄い領域（３．４）は、特に、接着端部（７）の近傍における応力の減少を導く。
【００２８】
図３は、接着端部（７）の外側エッジ（６．３）と、本体部（８）から放物面状領域（２）への外部移行部（６．２）との間を直線で直接結んだ各直結線と、各外側輪郭（３．１，３．２，３．３）との間における最大距離Ｈ（６．３，６．４，６．５）を示している。距離Ｈは、直結線に対して垂直に、測定される。
【００２９】
垂線と接着端部（７）の上方の外側輪郭との間における交点の高さは、対角線に関してはＺＤ、短軸に関してはＺＫ、および長軸に関してはＺＧで指定される。また、外部移行部（６．２）から水平に延長する水平線（６．１）と、垂線との交点の高さである本体部（８）の高さは、Ｚで指定される。
【００３０】
各最大距離Ｈの高さに対する本体部（８）の高さＺの比率は、Ｚ／ＺＤ，Ｚ／ＺＫ，Ｚ／ＺＧを、記述するために使用される。例えば、比率が大きい場合、軸は、鋭く傾斜している。
【００３１】
本発明は、接着端部の外側エッジ（６．３）と本体部（８）から放物面状領域（２）への外部移行部との間の直結線と、対角線（３．１）に沿った方向の外側輪郭との間における最大距離Ｈｄｉａ（６．４）に対する、対角線寸法（Ｄ）の比率は、Ｄ／Ｈｄｉａ＞２８であることを示す。なお、対角線に関する関係は、Ｚ／ＺＤ＞２．５である。
【００３２】
接着端部の外側エッジ（６．３）と本体部（８）から放物面状領域（２）への外部移行部との間の直結線と、長軸（３．２）に沿った方向の外側輪郭との間における最大距離Ｈｇｒ（６．５）に対する、対角線寸法（Ｄ）の比率は、Ｄ／Ｈｇｒ＜２５であり、また、長軸に関する関係は、Ｚ／ＺＧ＞１．６である。
【００３３】
接着端部の外側エッジ（６．３）と本体部（８）から放物面状領域（２）への外部移行部との間の直結線と、短軸（３．３）に沿った方向の外側輪郭との間における最大距離Ｈｋｌ（６．６）に対する、対角線寸法（Ｄ）の比率は、Ｄ／Ｈｋｌ＞３３であり、また、短軸に関する関係は、Ｚ／ＺＫ＞２．６である。
【００３４】
テレビ用ガラスファンネルの好ましい実施の形態の一例においては、放物面状領域（２）は、ネック部（１）との連結ポイントと本体部（８）との連結ポイントとの間における、少なくとも部分的な区域において、矩形の横断面を有する。
【００３５】
特に、放物面状領域（２）の中央部における矩形横断面のために、短軸および長軸上のガラス外側輪郭は、ガラスファンネルの中心軸により近くに配置されることになる。矩形横断面を有する領域の長さは、１センチメートルの範囲で変化する。
【００３６】
電子ビームのための偏向装置は、ガラス外側輪郭に直接位置しているため、ガラスファンネル内部を走る電子ビームの近くに、配置されることになる。したがって、偏向装置によって確立されて、電子ビームをガイドするための磁界は、短い距離を克服することが必要であり、また、あまり強くないようにし得る。それによって、電気エネルギが節約される。
【００３７】
磁界源からの距離が遠くなるにつれて、磁力線間の間隔が大きくなる。また、磁場は、電子ビームにより近くに位置する。したがって、磁力線の密度は、標準的な放物面状領域における磁力線の密度より大きい。そのため、電子ビームを、より高い精度でガイドすることができる。
【００３８】
テレビ用ガラスファンネル（１０）は、周囲を取り囲んでいる短縮化されたブリッジ部（Steg）を有する画像表示部に、好ましくはハンダで接着される。ガラスファンネル（１０）の対角線（３．１）は、指定された画像表示部の形式に応じて、適宜、伸長される。
【００３９】
本体部（８）の全体的な応力を減らすため、周囲を取り囲んでいる短縮化されたブリッジ部を有する、より平らな画像表示部が、結果として生じる高さに、接着端部（７）は、配置される。このことにより、ガラスファンネル（１０）は、ブリッジ部の短縮化に応じて伸長される。
【００４０】
ＣＲＴの全体の奥行きは、このことにより変化することなく維持される。したがって、ガラスファンネル形状は、よりなだらかに延長する軸（３．１および３．２）から接着端部（７）への良好な移行部を形成することを可能とする。
【００４１】
画像表示部の垂直（短）軸に対する水平（長）軸の比率は、好ましくは、１６：９形式を構成する。
【００４２】
ガラスファンネル（１０）の対角線（３．１）に沿った方向の電子ビームの偏向角は、好ましくは約１２０度である。大きな偏向角の結果として、ガラスファンネルは、非常に平らである。すなわち、ガラスファンネルは、奥行きが短い形状を有している。
【００４３】
しかし、ガラスファンネルのデザインが、従来技術のガラスファンネルに類似して定義される場合、許容不可能な大きな応力を結果として生じ、そして、このことは、有限要素計算によって確認できる。したがって、耐内破性ＣＲＴを生産することは、可能ではない。
【００４４】
本発明に係る奥行きが短縮化されたテレビ用ガラスファンネルの応力は、最大許容値以下に減少するため、内破に対するより大きな保護を保証する。この目的のために、上述の本発明に係る外側輪郭は、対称軸（３．２，３．３）および対角線（３．１）に適用されている。
【００４５】
加えて、長軸および短軸（３．２，３．３）と対角線（３．１）とに関して説明された特殊な肉厚が使用されているため、ガラスファンネル重量の有利な削減を導く。画像表示部とガラスファンネルとの間の分離線は、より短い画像表示部が使用可能となるように、変位される。
【００４６】
以上のように、本実施の形態に係るテレビ用ガラスファンネルは、その重量が可能な限り削減され、かつ、耐内破性を有しており、先行技術の類似装置に使用されるガラスファンネルより短い形状を有する。したがって、短い奥行きを有するテレビ用ガラスファンネルを提供できる。
【００４７】
次に、実施の形態をより具体的に説明する。
【００４８】
対角線が８１ｃｍ（３２インチ）、高さ／幅比率が約１６：９、偏向角が１２０度であるＣＲＴの場合、以下の寸法が、例えば達成できる。
【００４９】
接着端部から放物面状領域の終端までのガラスファンネルの全高を２００ｍｍとする場合。
【００５０】
【表１】
0003683847.tif 000002
【００５１】
対角線寸法（Ｄ）が８１０ｍｍ長であり、接着端部と放物面状領域の始点との間の直結線の距離が、対角線の方向に関して２０ｍｍである場合：Ｄ／Ｈdia＝８１０／２０＝４０．５、長軸の方向に関して５２ｍｍである場合：Ｄ／Ｈgr＝８１０／５２＝１５．６、短軸の方向に関して１６ｍｍである場合：Ｄ／Ｈkl＝８１０／１６＝５０．６の比率関係を有する。
【００５２】
一方、対角線寸法（Ｄ）が８１０ｍｍ長である従来技術の標準的なガラスファンネル（スコット７６エフダブリュ：Schott 76FW）の場合、Ｄ／Ｈdia＝８１０／５１＝１５．８、Ｄ／Ｈgr＝８１０／５６＝１４．４６、Ｄ／Ｈkl＝８１０／４１＝１９．７５の比率関係が得られる。
【００５３】
また、本体部の高さはＺ＝１３２であり、対角線に関してはＺ／ＺＤ＝３．３、長軸に関してはＺ／ＺＧ＝１．８５、短軸に関してはＺ／ＺＫ＝３．４７の比率関係を有する。
【００５４】
一方、比較されるガラスファンネルの高さはＺ＝２０８であり、Ｚ／ＺＤ＝２．１、Ｚ／ＺＧ＝１．６５、Ｚ／ＺＫ＝３．４７の比率関係が得られる。
【００５５】
本発明は、上述した実施の形態に限定されるものではなく、特許請求の範囲の範囲内で種々改変することができる。
【００５６】
【発明の効果】
以上説明したように本発明によれば、短い奥行きを有するテレビ用ガラスファンネルを提供できる。
【図面の簡単な説明】
【図１】  本発明の実施の形態に係るテレビ用ガラスファンネルの平面図である。
【図２】  本発明の実施の形態に係るテレビ用ガラスファンネルの側面図である。
【図３】  各直結線と各外側輪郭との間における最大距離を有する場合での、図２に示されるテレビ用ガラスファンネルの側面図である。
【符号の説明】
１…ネック部、
２…放物面状領域、
３．１…外側輪郭（対角線）、
３．２…外側輪郭（長軸）、
３．３…外側輪郭（短軸）、
３．４…肉厚の薄い領域、
３．５…長軸に沿った方向の領域、
４．１〜４．７…肉厚、
６．１…水平線、
６．２…外部移行部、
６．３…外側エッジ、
６．４〜６．６…最大距離Ｈ、
７…接着端部、
８…本体部、
１０…テレビ用ガラスファンネル、
Ｄ…対角線寸法、
Ｚ…交点の高さ、
ＺＤ…対角線に関する交点の高さ、
ＺＫ…短軸に関する交点の高さ、
ＺＧ…長軸に関する交点の高さ。
【図１】
0003683847.tif 000003
【図２】
0003683847.tif 000004
【図３】
0003683847.tif 000005